(57)【要約】      （修正有）【課題】脳卒中や脊髄損傷や糖尿病や多発性硬化症やパーキンソン病や負傷、損傷や外傷性脳損傷等が原因で下垂足になった人が、足機能の回復運動でリハビリテ−ションを行う際、本人の意思では動かない足と脚、立ち崩れて立ち留まる事が出来ない下垂足の足を、歩ける姿に固定して、回復運動の刺激を確実に足に伝え、自ら下垂足が動けるまでに筋力運動をサポートするための足の機能回復運動の歩行訓練用具として作り上げた下垂足機能回復訓練用草履形歩行サポーターを提供する。【解決手段】鼻緒に複数の重ね合わせ止めテープ付き吊り平紐を取りつけた草履と、鼻緒に付けた複数の吊り平紐に対応する複数の掛け金具を備えた足首に巻き付けて固定する平帯、とからなることを特徴とする。【選択図】図３
0003196807.tif 000002
【実用新案登録請求の範囲】
【請求項１】
鼻緒のすげてある草履に足裏を接地させて、足首を支点としてゆび先から踵までの足裏面を、内側の鼻緒と外側の鼻緒に取り付けた吊り平紐にて体を支える脚の方向に引き奇せて足首に巻き付けた平帯の引っ掛け金具に固定する。足を載せた草履と体を支える脚の角度が、吊り紐の長さで調整出来る、吊り平紐が鼻緒に取り付けた下垂足機能回復訓練用草履形歩行サポーターである。
【考案の詳細な説明】
【技術の分野】
【０００１】  本考案は、下垂足に対して歩行機能回復の為の回復訓練用草履形歩行サポーターに関するものである。
【背景技術】
【０００２】  従来の下垂足固定サポーターは帯や布を用い、足裏から足の甲に斜めに交差させ足首に巻き付けて固定するもの。又は足裏面と脚を角度の調整出来る固定枠を布で巻き付け足と脚との角度を固定する方法。このようなサポーターでは帯や布で締め付けるため、血の流れを低下させたり、足や脚がむくみを生じることも考えられる。更に足の筋力が低下することも考えられる。【０００３】  また、巻き付けた帯や布の苦しさの緩和と固定角度の戻り防止を考えて、ゆび先までの広く開いている紐付シューズを履き、足首に取り付けた紐の先端をゆび先に近い側の靴紐に引掛け足先を引き寄せる方法もある。足を靴ひもで足幅と甲をしっかりと締め付けることになり、足の血行と足ゆびの運動が乏しくなり、足アーチが崩れる。細長足、外反母趾、足ゆびの冷えが心配される。
【考案の開示】
【考案が解決しようとする課題】
【０００４】  リハビリテ−ションで機能回復を必要とされる下垂足に対して、従来の下垂足サポーターは、足と足首を帯や布で巻き付けて固定する方法。脚と足との角度を矯正する為、踵に成形枠を縛り付ける方法。靴を履かせその靴のつま先を吊り上げる方法。これら何れも足を固めた処置であり、下垂足に必要な足の関節運動と足アーチの筋力運動と足ゆびの筋力運動に乏しい。
【課題を解決する手段】
【０００５】  本考案の目的は、機能回復の歩行サポーターとして正しい条件を整えること。それには、足と脚を固定していながらでも足関節、足アーチ、足ゆびがいつでも運動の待ち受けが出来てること。歩行訓練することで足アーチの筋力形成とゆび先の運動と足と足ゆびの血行が向上されることである。足を脚側に引っ張ってる状態でも、構造上に足首と足ゆびが背屈運動するゆとりがあること。足形を形成するに必要なアーチの筋力運動と足首と足ゆびの筋力運動を妨げないこと。
【０００６】  本考案は、脳卒中や脊髄損傷や糖尿病や多発性硬化症やパーキンソン病や負傷、損傷や外傷性脳損傷等等が原因と言われる下垂足がある。この下垂足の原因が改善されたときに備え、足の機能回復運動の歩行訓練用具として作り上げた下垂足機能回復訓練用草履形歩行サポーターである。
【０００７】  本考案は、下垂足機能回復歩行運動の際。足形の足アーチと足幅と足ゆびが常に筋力運動が出来るように一切締め付けないこと。足首を安定にして歩行訓練と足の筋力運動が出来るである。
【０００８】  本考案の下垂足機能回復訓練用草履形歩行サポーターは歩行訓練の際、草履のソールに乗った足は鼻緒と共に吊り上げられ、第一趾と第二趾の間にある草履の鼻緒の鼻は歩行訓練中の足の横ブレと足首のネジレを防止して訓練の歩行が安定する。
【考案の効果】
【０００９】  使用者の感想です。簡単に装着出来た。下垂足を布で包んでだり、締め付けたりをしてない為、足幅と足の甲に締め付けの苦しさは感じない。杖は必要とするが歩行練習はかなり楽であ。左右のブレも少なく安定している。
【考案を実施するための形態】
【００１０】  本考案は、先ず鼻緒の平紐を吊るす為の引っ掛け金具付の平帯を足首に巻き付けて固定する。次に草履形歩行サポーターを草履の感覚で履く。次は足首に巻き付けた引っ掛け金具に鼻緒に取り付けてある平紐を通し、足の角度と足の内外側の水平均整を確認しながら引っ張って平紐を固定する。踵が草履のソールからはなれて安定しない場合は草履形歩行サポーターの踵に着いている踵固定平紐を利用して踵を固定する。
【００１１】  本考案は、足を布で巻き付けたり、固定板で縛り付けたり、靴紐で締め付けたりはしない。硬めのソールで作られた草履に足を乗せ、草履の鼻緒で垂れた足を引き上げるものである。回復運動の訓練中、いつでも僅かな回復瞬間を逃さず効率よく足自身が動けるような形状に作り上げた下垂足機能回復訓練用草履形歩行サポーターである。
【００１２】  本考案の草履吊り調整紐は足の角度を固定する際、下垂足の機能回復具合応じて、複数の吊り紐でバランスを計らって張り具合を調整して固定する。
【実施例】
【００１３】  下垂足機能回復訓練用草履形歩行サポーターは左右どちらかの足が歩行困難になった時に使用するものであるが、足への装着環境が左右異なると身体に悪影響をする恐れがある。依って両足に履き、両足の環境を同じくする。但し健康な足側の引っ張り強度調整紐は緩めとする。【００１４】  装着が簡単である。装着後の足の角度調整も楽である。【００１５】  歩行訓練で下垂足が改善されると同時に脚と足ゆびの筋力が強化される。更に足アーチの崩れも改善され足アーチの強化と足形の左右均整をつくる。【００１６】  歩行訓練時は下垂足の足を前に移動した際、足のブレと足首のネジレが少ない安定した歩行ができる。【００１７】足と脚を布やベルトで絞め付けていないので、装着ままでも足と脚のむくみとしびれが少ない。
【図面の簡単な説明】
【００１８】
【図１】本考案の草履形歩行サポーターの概略斜視図である。
【図２】本考案の足首に装着する引っ掛け金具付の平帯の概略斜視図である。
【図３】本考案の下垂足機能回復訓練用草履形歩行サポーターと下垂足に装着した概略斜視図である。
【符号の説明】
【００１９】    １，草履のソール。
２，鼻緒。
３，重ね合わせ止めテープ付、長さ調整可能吊り平紐。
４，重ね合わせ止めテープ付、長さ調整可能吊り平紐。
５．重ね合わせ止めテープ付、長さ調整可能吊り平紐。
６．重ね合わせ止めテープ付、長さ調整可能吊り平紐。
７，重ね合わせ止めテープ付、踵固定平紐。
８，重ね合わせ止めテープ付、踵固定平紐。
９，引っ掛け金具付の平帯。
１０，掛け金具付。
１１，掛け金具付。
１２，掛け金具付。
１３，掛け金具付。
【図１】
0003196807.tif 000003
【図２】
0003196807.tif 000004
【図３】
0003196807.tif 000005
【手続補正書】
【提出日】平成26年9月7日(2014.9.7)
【手続補正１】
【補正対象書類名】実用新案登録請求の範囲
【補正対象項目名】全文
【補正方法】変更
【補正の内容】
【実用新案登録請求の範囲】
【請求項１】
鼻緒のすげてある草履の鼻緒に紐を取りつけた草履である。下垂の足に紐付草履を履かせて足首側に紐を引き寄せて足首に固定する下垂足機能回復訓練用草履形歩行サポーターである。
【手続補正書】
【提出日】平成27年1月8日(2015.1.8)
【手続補正１】
【補正対象書類名】実用新案登録請求の範囲
【補正対象項目名】全文
【補正方法】変更
【補正の内容】
【実用新案登録請求の範囲】
【請求項１】
鼻緒に複数の重ね合わせ止めテープ付き吊り平紐を取りつけた草履と、鼻緒に付けた複数の吊り平紐に対応する複数の掛け金具を備えた足首に巻き付けて固定する平帯、とからなる下垂足機能回復訓練用草履形歩行サポーターである。